(57)【要約】      （修正有）【課題】リセット作業を簡単にして、メンテナンスを容易にすることができるダイヤフラム型ポンプの保護装置を提供する。【解決手段】振動子３に連結されたダイヤフラム４を振動させるダイヤフラム型ポンプの保護装置Ａであって、該保護装置が、前記振動子に形成された一対の爪と、該一対の爪に対向して、前記ダイヤフラム型ポンプの電磁石ケース５内の前記振動子の上部かつ、前記一対の電磁石２ａ，２ｂの間に取付けられたスライドベース６と、該スライドベースの内部に装着された検知部として機能する可動部７と、該可動部と当接する検知器とからなる検知手段と、前記ダイヤフラムの修復後に、前記検知手段を正常状態に復帰させるためのリセット手段とからなり、前記スライドベースが、前記スライドベースの、前記電磁石と対向する側部に設けられた取付腕９を介して、前記電磁石に、直接または間接的に固定されてなることを特徴とする。【選択図】図１
0003154958.tif 000002
【実用新案登録請求の範囲】
【請求項１】
対向して配置される一対の電磁石と永久磁石の磁気的相互作用に基づいて、該永久磁石を備えた振動子の電磁振動によって、該振動子に連結されたダイヤフラムを振動させるダイヤフラム型ポンプの保護装置であって、
該保護装置が、
前記振動子に形成された一対の爪と、
該一対の爪に対向して、前記ダイヤフラム型ポンプの電磁石ケース内の前記振動子の上部かつ、前記一対の電磁石の間に取付けられたスライドベースと、
該スライドベースの内部に装着された検知部として機能する可動部と、
該可動部と当接する検知器とからなる検知手段と、
前記ダイヤフラムの修復後に、前記検知手段を正常状態に復帰させるためのリセット手段とからなり、
前記スライドベースが、前記スライドベースの、前記電磁石と対向する側部に設けられた取付腕を介して、前記電磁石に、直接または間接的に固定されてなることを特徴とする
ダイヤフラム型ポンプの保護装置。
【請求項２】
前記スライドベースに、前記スライドベースの下部から前記振動子の長手方向に沿って突部が連続的または不連続的に一対設けられ、前記対向して配置される一対の電磁石が、前記突部を介して離間されてなることを特徴とする請求項１記載のダイヤフラム型ポンプの保護装置。
【請求項３】
前記可動部が前記一対の爪の間に配置され、前記検知手段が、前記可動部に設けられた検出部と、前記可動部の当接部と当接する釦部とを有する検知器とからなる請求項１または２記載のダイヤフラム型ポンプの保護装置。
【請求項４】
前記リセット手段が、前記可動部に形成された弾性を有する弓形状のばね部を備え、該ばね部の中央部と対向する前記スライドベースとに当接して保持する固定部とからなる請求項１〜３のいずれか１項に記載のダイヤフラム型ポンプの保護装置。
【請求項５】
前記検知器の検出信号を用いて異常時に可視または可聴信号を出力する警報手段を有してなる請求項１〜４のいずれか１項に記載のダイヤフラム型ポンプの保護装置。
【考案の詳細な説明】
【技術分野】
【０００１】
本考案は、ダイヤフラム型ポンプの保護装置に関する。さらに詳しくは、主として家庭用浄化槽の曝気用、養魚用水槽の酸素補給用、泡風呂のエア噴気用および理化学機器の加圧送気用に利用される電磁振動型エアポンプの保護装置に関する。
【背景技術】
【０００２】
図８に示されるように、従来のダイヤフラム型ポンプ（特許文献１参照）は、電磁石１１と永久磁石１２の磁気的相互作用に基づいて、永久磁石１２を備えた振動子１３の長手方向の異常振幅を検出した場合、振動子１３の本体１６の上端部に形成された一対の爪１１５と対向して、ポンプケース１５に形成された開口部１１６の近傍に取り付けられた検知手段１１７の検知レバーの検知部（シュー）１１９が一対の爪１１５の間に配置されている。そして特許文献１のダイヤフラム型ポンプは、振動子１３の爪１１５が検知部１１９に当ると、検知レバー１２０が回動してスイッチ部１２４との当接がはずれて、ポンプの電源の接続をオフ状態にしてポンプを停止させる。ダイヤフラムの修復後はリセット手段である押し釦１１８をポンプケース１５の開口部の外部から挿入口を介して検知レバー１２０に押し当ててリセットさせる機構の保護装置を有している。
【先行技術文献】
【特許文献】
【０００３】
【特許文献１】特開２００５−１５５５１７号公報
【考案の概要】
【考案が解決しようとする課題】
【０００４】
しかしながら、前記特許文献１の保護装置では、ダイヤフラムの破損は瞬時に発生に至らず、徐々に、経時的に起るもので、それに伴い、振動子の振幅の大きさが変位する。そのため、振動子の爪と検知部を有する検知レバーとスイッチ部との当接が寄生振動を起し、スイッチ部の品質、信頼性に問題がある。
【０００５】
また、押し釦を外し、逆さに持ち、挿入口から検知レバーに押し当てるリセット作業が面倒であるという問題がある。
【０００６】
本考案は叙上の従来技術の問題点に鑑み、リセット作業を簡単にして、メンテナンスを容易にすることができるダイヤフラム型ポンプの保護装置を提供することを目的とする。
【課題を解決するための手段】
【０００７】
本考案のダイヤフラム型ポンプの保護装置は、対向して配置される一対の電磁石と永久磁石の磁気的相互作用に基づいて、該永久磁石を備えた振動子の電磁振動によって、該振動子に連結されたダイヤフラムを振動させるダイヤフラム型ポンプの保護装置であって、該保護装置が、前記振動子に形成された一対の爪と、該一対の爪に対向して、前記ダイヤフラム型ポンプの電磁石ケース内の前記振動子の上部かつ、前記一対の電磁石の間に取付けられたスライドベースと、該スライドベースの内部に装着された検知部として機能する可動部と、該可動部と当接する検知器とからなる検知手段と、前記ダイヤフラムの修復後に、前記検知手段を正常状態に復帰させるためのリセット手段とからなり、前記スライドベースが、前記スライドベースの、前記電磁石と対向する側部に設けられた取付腕を介して、前記電磁石に、直接または間接的に固定されてなることを特徴とする。
【０００８】
また、前記スライドベースに、前記スライドベースの下部から前記振動子の長手方向に沿って突部が連続的または不連続的に一対設けられ、前記対向して配置される一対の電磁石が、前記突部を介して離間されてなることを特徴とすることが好ましい。
【０００９】
また、前記可動部が前記一対の爪の間に配置され、前記検知手段が、前記可動部に設けられた検出部と、前記可動部の当接部と当接する釦部とを有する検知器とからなることが好ましい。
【００１０】
また、前記リセット手段が、前記可動部に形成された弾性を有する弓形状のばね部を備え、該ばね部の中央部と対向する前記スライドベースとに当接して保持する固定部とからなることが好ましい。
【００１１】
また、前記検知器の検出信号を用いて異常時に可視または可聴信号を出力する警報手段を有してなることが好ましい。
【考案の効果】
【００１２】
本考案のダイヤフラム型ポンプの保護装置（以下、保護装置という）によれば、リセット作業を簡単にして、メンテナンスを容易にすることができるとともに、機能の安定性と品質の信頼性を向上させることができる。
【図面の簡単な説明】
【００１３】
【図１】本考案のダイヤフラム型ポンプの保護装置の一例を示す説明図である。
【図２】本考案の保護装置に用いられるスライドベースおよび取付腕を示す斜視図である。
【図３】本考案の保護装置に用いられるスライドベースおよび取付腕の断面図である。
【図４】本考案の保護装置の一例を示す図である。
【図５】本考案の保護装置に用いられる振動子の一例を示す斜視図である。
【図６】本考案の保護装置の可動部の一例を示す説明図である。
【図７】本考案のダイヤフラム型ポンプに実施した警報の一例を示す回路図である。
【図８】従来のダイヤフラム型ポンプの保護装置を示す説明図である。
【考案を実施するための形態】
【００１４】
本実施の形態の保護装置について添付図面を参照しつつ、以下に詳細に説明する。
【００１５】
本考案の保護装置が適用されるダイヤフラム型ポンプ（以下、単に「ポンプ」という）は、本考案において特定のものに限定されるものではない。本考案のポンプ１は、図１に示されるように、一対の対向する電磁石２ａ、２ｂと、当該電磁石２ａ、２ｂとの間の振動子３に設けられた永久磁石１２（図５参照）との磁気的相互作用に基づいて、振動子３に電磁振動を惹起させて、当該振動子３に連結されたダイヤフラム４を振動させるものである。
【００１６】
そして、本実施の形態にかかわるポンプ１は、当該振動子３の長手方向の異常振幅を検知した場合、ポンプ１の電源を切って当該振動子３の電磁振動を停止させる保護装置Ａを備えている。
【００１７】
図１を参照すると、前記一対の電磁石２ａ、２ｂは、電磁石ケース５の内部に互いに対向して配置されている。前記ダイヤフラム４は、たとえば天然または合成ゴム、エラストマーなどのエラストメリックなゴム系の材料から製作されており、前記振動子３は前記一対の電磁石２ａ、２ｂの間に空隙をおいて配置されており、振動子３には平板状の永久磁石１２が装着されている（図５参照）。
【００１８】
ここで、図１を参照すると、本考案の保護装置Ａは、基部として機能するスライドベース６の開口部Ｗの下部から可動部７が挿入されている。
【００１９】
本考案の保護装置Ａは、図２に示されるように、可動部７の摺動を案内するいわばレールとして機能するスライドガイド６ｇにガイド（案内）され、かつ可動部７に形成されたスライド凹部Ｒ（図６参照）と係合する。
【００２０】
そして、本考案の保護装置Ａは、一対の電磁石２ａ、２ｂの間に設けられており、保護装置Ａのスライドベース６は、一対の電磁石２ａ、２ｂと対向する側部６１、６２に設けられた取付腕９を介して、電磁石２ａ、２ｂに、直接または間接的に固定されている。本考案において、取付腕９とは、スライドベースの側部から凸状に延び、スライドベース６を電磁石２ａ、２ｂに固定する取付部材をいい、棒状の部材、板状の部材でもよく、また、電磁石の上面を完全に覆う蓋状の部材、電磁石の上面、側面を覆う、板状の部材が折り返され、電磁石の下部側で固定されるものを含み、スライドベース６の側部から垂直方向に延びるもの、スライドベース６の側部に対して傾斜したものも含む概念である。
【００２１】
取付腕９は、図２に示されるようにスライドベース６に一体的に設けてもよいし、取付腕９をスライドベース６と別体とし、取り外し可能とすることもできる。取付腕９をスライドベース６と別体とすることにより、大きさの異なる型番のポンプに保護装置Ａを取り付ける場合、取付腕９のみを取りかえることで、共通のスライドベース６を用いることができる。また、取付腕９は図２に示すように、スライドベース６の両側に設けることが好ましいが、図４に示すように、スライドベース６に一方の側部に設けてもよい。また、取付腕９は図２および図４では、片側の側部から一つの取付腕９が設けられているが、取付腕９の数は特に限定されることはなく、片側に複数の取付腕９を設けてもよい。
【００２２】
図１では、取付腕９は、取付腕９に設けられた電磁石２ａ、２ｂに電磁石２ａ、２ｂのボビン２１ａ、２１ｂに固定され、電磁石２ａ、２ｂの電磁石ケース５に対向する側の面に、雌ねじが切られた凹部が設けられ、ねじにより取付腕９と固定されている。取付腕９の電磁石２ａ、２ｂへの固着手段は、ねじに限られるものではなく、ピン、くぎ、溶接、熱融着等公知の固着手段により固着することができる。
【００２３】
図２および図３に示すように、スライドベース６には、スライドベース６の下部から振動子３の長手方向に沿って突部６３、６４が一対設けられている。一対の突部６３、６４のそれぞれの外側の距離Ｄは、対向する一対の電磁石２ａ、２ｂの間の距離とほぼ同一になるように設定されている。当該突部６３、６４を介して一対の電磁石２ａ、２ｂが離間されており、電磁石２ａ、２ｂの間の距離が突部６３の外側から突部６４の外側までの距離Ｄより短くなることがなく、電磁石２ａ、２ｂと永久磁石との空隙を均一に保持することができるため、ポンプ製造後の各ポンプのポンプ性能を安定して維持することができる。
【００２４】
突部６３、６４は図２では連続的に設けられたレール状に設けられているが、突部６３、６４は電磁石２ａ、２ｂの間の距離を一定に保つことができればよく、不連続の複数の突起７ｂを、振動子３の長手方向に沿って並べて設けることにより、電磁石２ａ、２ｂの間の距離を一定に保つこともできる。
【００２５】
電磁石ケース５の構造・形状は、特定のものに限られることはないが、たとえば、箱状もしくは断面Ｕ字状の形状が採用される。
【００２６】
本考案の保護装置Ａにおいては、振動子３の上端部（図５参照）の長手方向に互いに離間して形成された一対の爪３ａ、３ｂ、当該一対の爪３ａ、３ｂと対向して可動部７（図５および６参照）に一体的または別体として形成された検出部（ないしは、シュー）７ａが前記振動子３の一対の爪３ａ、３ｂとの間に配設されている。
【００２７】
また、図１に示されるように、可動部７に配置された固定部Ｓは、可動部７に、たとえば合成樹脂から弓状に形成されたばね部ＳＰの中央の突出部ＳＰａ（または図示されていないが凹所でもよい）と、スライドベース６に形成された凹所６ａ（または図示されていないが凸部）と嵌合されるとともに検出器８（図１および７参照）の釦部Ｐと可動部７の突起７ｂが当接することによってポンプ１の電源をオン状態にする（スイッチとして）のである。本実施の形態では、検出部として機能する可動部７と、該可動部７と当接する検出器８とが、検知手段を構成する。
【００２８】
ダイヤフラム４の破損や異常電圧（高電圧）に起因して、振動子３の電磁振動が異常振幅となると、前記爪３ａ、３ｂのいずれかが前記可動部７の突起７ｂの検出溝ＤＳに入り、可動部７の全体を直動（スライド）させる。
【００２９】
しかし、このとき、前記固定部Ｓは弓形状のばね部ＳＰで押圧力を受けているため、寄生振動の発生はなく、クリクションに作動して固定部Ｓと釦部Ｐが外れチャタリングなどを生じることなく、電源をオフ状態にしてポンプ駆動を停止させる。
【００３０】
修復後は可動部７のグリップ部Ｇを摘んで手動操作にて摺動させて固定部Ｓと釦部Ｐの定位置に復帰させるのである。
【００３１】
また、図６に示されるように、本考案の保護装置Ａは、回路に検出器８の端子ａ、ｂ、ｃに、警報手段として機能するランプＬやブザーＢを設け、ポンプの異常を知らせることができる。
【符号の説明】
【００３２】
１      ポンプ
２ａ、２ｂ    電磁石
３      振動子
３ａ、３ｂ    爪
４      ダイヤフラム
５      電磁石ケース
Ａ      保護装置
６      スライドベース
６ｇ    スライドガイド
１３    振動子
Ｗ      可動部挿入の開口部
７      可動部（スライド）
７ａ    検出部
７ｂ    突起
９      取付腕
Ｓ      固定部
Ｐ      釦部
Ｇ      グリップ部
ＳＰ    ばね部
Ｒ      スライド凹部
ＤＳ    検出溝
【図１】
0003154958.tif 000003
【図２】
0003154958.tif 000004
【図３】
0003154958.tif 000005
【図４】
0003154958.tif 000006
【図５】
0003154958.tif 000007
【図６】
0003154958.tif 000008
【図７】
0003154958.tif 000009
【図８】
0003154958.tif 000010